(57)【要約】【課題】  ボルト・ナットの締め付け作業や緩め作業時に、ウォームを回転しないように固定したロック状態とすることが可能なモンキーレンチの提供。【解決手段】  モンキーレンチＭは、先端に固定あご１０を有するレンチ本体１と、レンチ本体１の先端に摺動自在に配設された固定あご１０に対して接離可能な可動あご２０を有するラック２と、レンチ本体１に設けた開口する窓孔１１に臨んで回動自在に配設された固定あご１０と可動あご２０との間隔を調節するためのラック２と噛み合うウォーム３とを備える。レンチ本体１の窓孔１１の近傍にウォーム３を回転しないように固定するための手動操作式ロック機構４を設ける。手動操作式ロック機構４がウォーム３を回転しないように固定したロック状態とする。【選択図】      図１
2005349501.tif 000002
【特許請求の範囲】
【請求項１】
先端に固定あごを有するレンチ本体と、前記レンチ本体の先端に摺動自在に配設された前記固定あごに対して接離可能な可動あごを有するラックと、前記レンチ本体に設けた開口する窓孔に臨んで回動自在に配設された前記固定あごと前記可動あごとの間隔を調節するための前記ラックと噛み合うウォームとを備えたモンキーレンチにおいて、
前記レンチ本体の前記窓孔の近傍に前記ウォームを回転しないように固定するための手動操作式ロック機構を設けたことを特徴とするモンキーレンチ。
【請求項２】
上記手動操作式ロック機構は、上記ウォームに接離可能なロックねじと、前記ロックねじの基端に設けられた前記ウォームをロック状態とアンロック状態に切換え操作する操作つまみとから構成され、上記レンチ本体の一方の外側面と上記窓孔の内側面との間に前記ロックねじの螺合するねじ孔を貫通して設け、前記ロックねじを前記レンチ本体のねじ孔に螺着した請求項１に記載のモンキーレンチ。
【請求項３】
上記手動操作式ロック機構は、上記ウォームを貫通して回動自在に支持する支軸と、前記支軸の先端に固定して設けられた前記ウォームをロック状態とアンロック状態に切換え操作する操作レバーとから構成され、上記レンチ本体の一方の外側面と上記窓孔の一方の内側面との間に前記支軸を挿通するための挿通孔を貫通して設け、前記レンチ本体の他方の外側面と前記窓孔の他方の内側面との間に前記挿通孔と同一中心軸線上に沿ってねじ孔を貫通して設け、前記支軸の基端に前記レンチ本体の挿通孔に移動自在に嵌入された前記ウォームを前記レンチ本体の窓孔の他方の内側面に向って押し付けるように作用するロック作用部を形成し、前記支軸の先端寄りに前記レンチ本体のねじ孔に螺合するおねじ部を形成し、前記支軸のおねじ部を前記レンチ本体のねじ孔に螺着した請求項１に記載のモンキーレンチ。
【請求項４】
上記手動操作式ロック機構は、上記ウォームを貫通して回動自在に支持する支軸と、前記支軸の基端部の外側に前記ウォームに隣接して移動自在に嵌合された前記ウォームをロック状態とアンロック状態に切り換え操作する円筒形のロック用プッシュボタンと、前記ロック用プッシュボタンを前記ウォームと離間する方向に常時付勢する付勢手段とから構成され、上記レンチ本体の窓孔の一方の内側面に開口してねじ穴を設け、前記レンチ本体の前記窓孔の他方の側部に前記ねじ穴と同一中心軸線上に沿って前記ロック用プッシュボタンを移動自在に嵌合する筒状膨出部を形成し、前記レンチ本体の筒状膨出部に前記窓孔の側部に臨んで透孔と係止孔を設け、前記支軸の先端に前記レンチ本体のねじ穴に螺合するおねじ部を形成し、前記ウォームの前記ロック用プッシュボタン側の一端に回り止め用のくさび形状の複数の第１のロック歯を形成し、前記ロック用プッシュボタンの先端に前記ウォームの第１のロック歯と噛み合う回り止め用のくさび形状の複数の第２のロック歯を形成し、前記ロック用プッシュボタンの周壁の一部に設けた切欠孔に臨んで肉薄の弾性片を形成し、前記ロック用プッシュボタンの弾性片に前記レンチ本体の筒状膨出部の透孔に臨んで前記ウォームのロック状態を解除する操作突部と前記レンチ本体の筒状膨出部の係止孔に係脱自在の係合突起とを形成し、前記支軸のおねじ部を前記レンチ本体のねじ穴に螺着し、前記付勢手段を前記ロック用プッシュボタンの基端開口を閉塞する端壁と前記支軸の基端との間に配置した請求項１に記載のモンキーレンチ。
【発明の詳細な説明】
【技術分野】
【０００１】
本発明は、ボルト・ナットの締め付け作業や緩め作業に用いる手工具であるモンキーレンチの改良に関し、特に、固定あごと可動あごの間隔を調整する調節ねじであるウォームを回転しないようにロックするロック機構を備えたモンキーレンチに関するものである。
【背景技術】
【０００２】
従来のボルトとナットの締結に使用される手工具であるモンキーレンチは、先端に固定あごを有するレンチ本体と、レンチ本体の先端に摺動自在に配設された固定あごに対して接離可能な可動あごを有するラックと、レンチ本体に設けた開口する窓孔に臨んで回動自在に配設された固定あごと可動あごとの間隔を調節するためのラックと噛み合うウォームとを備え、ウォームを回転させることにより、ラックをウォームの回転に伴ってレンチ本体に対して摺動させ、ラックの可動あごをレンチ本体の固定あごに対して移動させることにより、レンチ本体の固定あごとラックの可動あごとの間隔をボルトの頭部の互いに平行な二面間の距離である二面幅やナットの互いに平行な二面間の距離である二面幅に合わせて調節し、種々のサイズのボルトとナットの締結に使用することができる。
【０００３】
また、固定顎体に対して移動顎体が操作ねじを回すことによって摺動移動し、それぞれの平行な当接部の間隔を、ボルト頭部やナット等の対象物の大きさに合わせて可変できるモンキーレンチにおいて、前記固定顎体の当接部及び前記移動顎体の当接部に、前記対象物の対向する角部が嵌入する断面三角形の三角溝を、それぞれの前記当接部の幅方向に対して途中位置まで形成したモンキーレンチが特許文献１に開示されている。
【０００４】
さらに、レンチ本体の先端に、レンチ本体と一体の上顎と、下顎スライド溝を設け、この下顎スライド溝に、下顎をスライド自在に嵌めて上顎に対して接離可能とし、下顎の背面に設けたスライド部をレンチ本体に形成した窓穴内に位置させ、この窓穴内に位置するスライド部の背面に固定溝を形成し、この固定溝に嵌まる固定金具を窓穴内に回転可能に収容したモンキーレンチにおいて、上記固定溝を、上下に複数段形成し、上記固定金具を、固定金具の回転軸によって回転させることにより、固定金具と下顎の固定溝との係脱を可能とし、固定金具を下顎の固定溝に嵌め入れた状態で、固定金具の下面と窓穴との間に形成される間隙を埋める間隙調節部材を、上記窓穴内に設けたモンキーレンチが特許文献２に開示されている。
【特許文献１】特開平１０−３１５１４４号公報
【特許文献２】特開２００１−４７３７３号公報
【発明の開示】
【発明が解決しようとする課題】
【０００５】
しかしながら、特許文献１や特許文献２に開示された従来のモンキーレンチでは、ボルト・ナットのモンキーレンチによる締め付け作業や緩め作業を行うに際し、レンチ本体の固定あごとラックの可動あごとの間隔をウォームの回転操作によりボルトの頭部の二面幅やナットの二面幅に合わせて調節しても、ウォームがレンチ本体の固定あごとラックの可動あごとの間隔を拡げる方向に自由に回転可能であるので、ウォームを若干でも回転させてしまうと、ラックの可動あごがレンチ本体の固定あごに対して離間する方向に移動するので、レンチ本体の固定あごとラックの可動あごとの間隔がボルトの頭部の二面幅やナットの二面幅よりも大きくなり、ボルトの頭部の角部やナットの角部をレンチ本体の固定あご及びラックの可動あごにより潰して傷めてしまうおそれがあり、しかも、同一の二面幅を有する複数のボルト・ナットの締め付け作業や緩め作業を連続して行う場合、その都度、レンチ本体の固定あごとラックの可動あごとの間隔をウォームによりボルトの頭部の二面幅やナットの二面幅に合わせて調節しなければならず、ボルト・ナットの締め付け作業や緩め作業の作業効率が悪かった。
【０００６】
そこで、本発明は、上記の課題に鑑み、ボルト・ナットの締め付け作業や緩め作業を行うに際し、手動操作式ロック機構がウォームを回転しないように確実に固定するので、ウォームを手動操作式ロック機構によって回転しないように固定したロック状態とすることができ、ウォームが自由に回転することがないので、ラックの可動あごがラックの可動あごに対して離間する方向に移動することもなく、レンチ本体の固定あごとラックの可動あごとの間隔がボルトの頭部の二面幅やナットの二面幅よりも大きくならないので、ボルトの頭部の角部やナットの角部をレンチ本体の固定あご及びラックの可動あごにより潰して傷めてしまうおそれもなく、ボルト・ナットの締め付け作業や緩め作業を常に安定した状態で行うことができ、ウォームの手動操作式ロック機構によるロック状態とアンロック状態の切換え操作を簡単に行え、しかも、同一の二面幅を有する複数のボルト・ナットの締め付け作業や緩め作業を連続して行う場合、その都度、レンチ本体の固定あごとラックの可動あごとの間隔をウォームによりボルトの頭部の二面幅やナットの二面幅に合わせて調節しなくても良く、ボルト・ナットの締め付け作業や緩め作業の作業効率の向上を図ることが可能なモンキーレンチを提供することを目的とする。
【課題を解決するための手段】
【０００７】
本発明のモンキーレンチは、先端に固定あごを有するレンチ本体と、前記レンチ本体の先端に摺動自在に配設された前記固定あごに対して接離可能な可動あごを有するラックと、前記レンチ本体に設けた開口する窓孔に臨んで回動自在に配設された前記固定あごと前記可動あごとの間隔を調節するための前記ラックと噛み合うウォームとを備えたモンキーレンチにおいて、前記レンチ本体の前記窓孔の近傍に前記ウォームを回転しないように固定するための手動操作式ロック機構を設けたことを特徴とする構成を有するものである。
【０００８】
上記に記載の本発明によれば、手動操作式ロック機構がウォームを回転しないように固定するので、ウォームを手動操作式ロック機構によりロック状態とすることができる。
【０００９】
本発明のモンキーレンチは、上記手動操作式ロック機構が、上記ウォームに接離可能なロックねじと、前記ロックねじの基端に設けられた前記ウォームをロック状態とアンロック状態に切換え操作する操作つまみとから構成され、上記レンチ本体の一方の外側面と上記窓孔の内側面との間に前記ロックねじの螺合するねじ孔を貫通して設け、前記ロックねじを前記レンチ本体のねじ孔に螺着してある。
【００１０】
上記に記載の本発明によれば、手動操作式ロック機構の操作つまみを指先でつまんでロックねじを締め付ける方向に回すことにより、ロックねじが操作つまみの回転に伴ってレンチ本体のねじ孔にねじ込まれるので、ロックねじをウォームに向って移動させることができ、ロックねじの先端がウォームに当接するので、ウォームを手動操作式ロック機構のロックねじにより回転しないように固定したロック状態とすることができる。
【００１１】
本発明のモンキーレンチは、上記手動操作式ロック機構が、上記ウォームを貫通して回動自在に支持する支軸と、前記支軸の先端に固定して設けられた前記ウォームをロック状態とアンロック状態に切換え操作する操作レバーとから構成され、上記レンチ本体の一方の外側面と上記窓孔の一方の内側面との間に前記支軸を挿通するための挿通孔を貫通して設け、前記レンチ本体の他方の外側面と前記窓孔の他方の内側面との間に前記挿通孔と同一中心軸線上に沿ってねじ孔を貫通して設け、前記支軸の基端に前記レンチ本体の挿通孔に移動自在に嵌入された前記ウォームを前記レンチ本体の窓孔の他方の内側面に向って押し付けるように作用するロック作用部を形成し、前記支軸の先端寄りに前記レンチ本体のねじ孔に螺合するおねじ部を形成し、前記支軸のおねじ部を前記レンチ本体のねじ孔に螺着してある。
【００１２】
上記に記載の本発明によれば、手動操作式ロック機構の操作レバーを指先でつまんで支軸のおねじ部を締め付ける方向に回転させることにより、支軸のおねじ部が操作レバーの回転に伴ってレンチ本体のねじ孔にねじ込まれるので、支軸のロック作用部をレンチ本体の挿通孔に沿って移動させ、ウォームを支軸のロック作用部により引き寄せるようにしてレンチ本体の窓孔の他方の内側面に向って押し付けることができ、ウォームの一端がレンチ本体の窓孔の他方の内側面に当接するので、ウォームを支軸に対して手動操作式ロック機構により回転しないように固定したロック状態とすることができる。
【００１３】
本発明のモンキーレンチは、上記手動操作式ロック機構が、上記ウォームを貫通して回動自在に支持する支軸と、前記支軸の基端部の外側に前記ウォームに隣接して移動自在に嵌合された前記ウォームをロック状態とアンロック状態に切り換え操作する円筒形のロック用プッシュボタンと、前記ロック用プッシュボタンを前記ウォームと離間する方向に常時付勢する付勢手段とから構成され、上記レンチ本体の窓孔の一方の内側面に開口してねじ穴を設け、前記レンチ本体の前記窓孔の他方の側部に前記ねじ穴と同一中心軸線上に沿って前記ロック用プッシュボタンを移動自在に嵌合する筒状膨出部を形成し、前記レンチ本体の筒状膨出部に前記窓孔の側部に臨んで透孔と係止孔を設け、前記支軸の先端に前記レンチ本体のねじ穴に螺合するおねじ部を形成し、前記ウォームの前記ロック用プッシュボタン側の一端に回り止め用のくさび形状の複数の第１のロック歯を形成し、前記ロック用プッシュボタンの先端に前記ウォームの第１のロック歯と噛み合う回り止め用のくさび形状の複数の第２のロック歯を形成し、前記ロック用プッシュボタンの周壁の一部に設けた切欠孔に臨んで肉薄の弾性片を形成し、前記ロック用プッシュボタンの弾性片に前記レンチ本体の筒状膨出部の透孔に臨んで前記ウォームのロック状態を解除する操作突部と前記レンチ本体の筒状膨出部の係止孔に係脱自在の係合突起とを形成し、前記支軸のおねじ部を前記レンチ本体のねじ穴に螺着し、前記付勢手段を前記ロック用プッシュボタンの基端開口を閉塞する端壁と前記支軸の基端との間に配置している。
【００１４】
上記に記載の本発明によれば、手動操作式ロック機構のロック用プッシュボタンを指先で付勢手段の付勢力に抗しながら押し込むことにより、ロック用プッシュボタンが支軸に案内されながらウォームに向って移動するので、ロック用プッシュボタンの弾性片を弾性変形させることができ、ロック用プッシュボタンの弾性片の係合突起がレンチ本体の筒状膨出部の係止孔より抜け外れ、ロック用プッシュボタンの第２のロック歯がウォームの第１のロック歯に喰い付き、ウォームの第１のロック歯とロック用プッシュボタンの第２のロック歯とが互いに噛み合うので、ウォームを支軸に対して手動操作式ロック機構により回転しないように固定したロック状態とすることができる。
【００１５】
また、ロック用プッシュボタンの弾性片の係合突起がレンチ本体の筒状膨出部の透孔に達すると、ロック用プッシュボタンの弾性片が元の形状に戻り、ロック用プッシュボタンの弾性片の係合突起がレンチ本体の筒状膨出部の透孔に入り込むので、ロック用プッシュボタンより指先を離しても、ロック用プッシュボタンの弾性片の係合突起が付勢手段の付勢力によりレンチ本体の筒状膨出部の透孔の係止孔側の一側縁に圧接して係止されるので、ウォームの手動操作式ロック機構によるロック状態を維持することができる。
【発明の効果】
【００１６】
以上に述べたように、本発明によれば、ボルト・ナットの締め付け作業や緩め作業を行うに際し、手動操作式ロック機構がウォームを回転しないように確実に固定するので、ウォームを手動操作式ロック機構によって回転しないように固定したロック状態とすることができ、ウォームが自由に回転することがないので、ラックの可動あごがラックの可動あごに対して離間する方向に移動することもなく、レンチ本体の固定あごとラックの可動あごとの間隔がボルトの頭部の二面幅やナットの二面幅よりも大きくならないので、ボルトの頭部の角部やナットの角部をレンチ本体の固定あご及びラックの可動あごにより潰して傷めてしまうおそれもなく、ボルト・ナットの締め付け作業や緩め作業を常に安定した状態で行うことができ、ウォームの手動操作式ロック機構によるロック状態とアンロック状態の切換え操作を簡単に行え、しかも、同一の二面幅を有する複数のボルト・ナットの締め付け作業や緩め作業を連続して行う場合、その都度、レンチ本体の固定あごとラックの可動あごとの間隔をウォームによりボルトの頭部の二面幅やナットの二面幅に合わせて調節しなくても良く、ボルト・ナットの締め付け作業や緩め作業の作業効率の向上を図ることが可能なモンキーレンチを得ることができる。
【発明を実施するための最良の形態】
【００１７】
以下、本発明を実施するための最良の形態を図面を参照して詳細に説明する。
【実施例】
【００１８】
本発明のモンキーレンチＭは、先端に固定あご１０を有するレンチ本体１と、レンチ本体１の先端に摺動自在に配設された固定あご１０に対して接離可能な可動あご２０を有するラック２と、レンチ本体１に設けた開口する窓孔１１に臨んで回動自在に配設された固定あご１０と可動あご２０との間隔を調節するためのラック２と噛み合うウォーム３とを備えており、レンチ本体１の窓孔１１の近傍にウォーム３を回転しないように固定するための手動操作式ロック機構４を設けている。
【００１９】
本発明のモンキーレンチＭは、手動操作式ロック機構４が、ウォーム３に接離可能なロックねじ５と、ロックねじ５の基端に設けられたウォーム３をロック状態とアンロック状態に切換え操作する操作つまみ５ａとから構成されている。
【００２０】
本発明のモンキーレンチＭは、レンチ本体１の一方の外側面と窓孔１１の内側面との間にロックねじ５の螺合するねじ孔１２を貫通して設け、ロックねじ５をレンチ本体１のねじ孔１２に螺着してある。
【００２１】
以下、本発明の第１実施例に係るモンキーレンチについて、図面を参照しながら詳細に説明する。
図１は、本発明の第１実施例に係るモンキーレンチの構成を示す要部切断正面図である。
モンキーレンチＭは、図１に示すように、レンチ本体１を有し、レンチ本体１の先端の片側には突出した固定あご１０が一体に形成され、レンチ本体１の先端部にはラック２を案内するガイド溝１３が形成され、レンチ本体１には固定あご１０と反対方向に向って延出した握り柄１４が形成され、レンチ本体１の先端付近にはウォーム３を配置するための開口した窓孔１１が設けられ、レンチ本体１の窓孔１１の一方の内側面には開口したねじ穴１５が設けられ、レンチ本体１の他方の外側面と窓孔１１の他方の内側面との間にはねじ穴１５と同一中心軸線上に沿って支軸６を挿通するための挿通孔１６が貫通して設けられ、レンチ本体１の一方の外側面と窓孔１１の内側面との間にはねじ孔１２が貫通して設けられている。
【００２２】
モンキーレンチＭのレンチ本体１のガイド溝１３には、図１に示すように、ラック２が摺動自在に配設され、ラック２にはレンチ本体１の固定あご１０に接離自在の可動あご２０が一体に形成されている。
【００２３】
モンキーレンチＭのレンチ本体１の窓孔１１には、図１に示すように、ラック２と噛み合うウォーム３が回動自在に配置され、ウォーム３は支軸６を介してレンチ本体１の窓孔１１に取付けられている。
【００２４】
支軸６の先端には、図１に示すように、モンキーレンチＭのレンチ本体１のねじ穴１５に螺合するおねじ部６０が形成され、支軸６の基端の端面にはおねじ部６０をレンチ本体１のねじ穴１５にドライバーなどの手工具でねじ込む際に利用するための凹溝６１が形成されている。
【００２５】
モンキーレンチＭのレンチ本体１の挿通孔１６及びウォーム３には、図１に示すように、支軸６が挿通され、レンチ本体１のねじ穴１５には支軸６のおねじ部６０が螺着され、レンチ本体１の挿通孔１６には支軸６の基端部が嵌合され、支軸６はウォーム３を貫通して回動自在に支持している。
【００２６】
モンキーレンチＭの手動操作式ロック機構４は、ロックねじ５と、操作つまみ５ａとから構成される。
【００２７】
モンキーレンチＭのレンチ本体１のねじ孔１２には、図１に示すように、手動操作式ロック機構４のロックねじ５が螺着され、ロックねじ５の基端にはウォーム３をロック状態とアンロック状態に切換え操作するための操作つまみ５ａが設けられている。
【００２８】
次に、本発明の第１実施例に係るモンキーレンチの使用方法について説明する。
ボルト・ナットのモンキーレンチＭによる締め付け作業或いは緩め作業時において、まず、モンキーレンチＭのレンチ本体１の窓孔１１に配置したウォーム３を指で支軸６に対して回転させることにより、ラック２がウォーム３の回転に伴いながらレンチ本体１のガイド溝１３に沿って摺動し、可動あご２０がラック２の摺動に伴ってレンチ本体１の固定あご１０に対して近接する方向或いは離間する方向に移動し、レンチ本体１の固定あご１０とラック２の可動あご２０との間隔を六角ボルトの頭部の互いに平行な二面間の距離である二面幅或いは六角ナットの互いに平行な二面間の距離である二面幅に合わせる。
【００２９】
その後、手動操作式ロック機構４の操作つまみ５ａを指先でつまんでロックねじ５を締め付ける方向に回すことにより、ロックねじ５が操作つまみ５ａの回転に伴ってモンキーレンチＭのレンチ本体１のねじ孔１２にねじ込まれ、ロックねじ５の先端がウォーム３に当接し、ウォーム３を支軸６に対して手動操作式ロック機構４により回転しないように固定したロック状態となる。
【００３０】
また、手動操作式ロック機構４の操作つまみ５ａを指先でつまんでロックねじ５を緩める方向に回すことにより、ロックねじ５が操作つまみ５ａの回転に伴ってモンキーレンチＭのレンチ本体１のねじ孔１２に対して抜け外れる方向に移動し、ロックねじ５の先端がウォーム３より離脱し、ウォーム３の手動操作式ロック機構４によるロックを解除したアンロック状態となる。
【００３１】
以下、本発明の第２実施例に係るモンキーレンチについて、図面を参照しながら詳細に説明する。
本発明のモンキーレンチＭは、手動操作式ロック機構４Ａが、ウォーム３を貫通して回動自在に支持する支軸６と、支軸６の先端に固定して設けられたウォーム３をロック状態とアンロック状態に切換え操作する操作レバー７とから構成されている。
【００３２】
本発明のモンキーレンチＭは、レンチ本体１の一方の外側面と窓孔１１の一方の内側面との間に支軸６を挿通するための挿通孔１７を貫通して設け、レンチ本体１の他方の外側面と窓孔１１の他方の内側面との間に挿通孔１７と同一中心軸線上に沿ってねじ孔１８を貫通して設け、支軸６の基端にレンチ本体１の挿通孔１７に移動自在に嵌入されたウォーム３をレンチ本体１の窓孔１１の他方の内側面に向って押し付けるように作用するロック作用部６２を形成し、支軸６の先端寄りにレンチ本体１のねじ孔１８に螺合するおねじ部６３を形成し、支軸６のおねじ部６３をレンチ本体１のねじ孔１８に螺着してある。
【００３３】
図２は、本発明の第２実施例に係るモンキーレンチの構成を示す要部切断正面図である。
モンキーレンチＭのレンチ本体１の一方の外側面と窓孔１１の一方の内側面との間には、図２に示すように、支軸６を挿通するための挿通孔１７が貫通して設けられ、レンチ本体１の他方の外側面と窓孔１１の他方の内側面との間には挿通孔１７と同一中心軸線上に沿ってねじ孔１８が貫通して設けられている。
【００３４】
なお、この第２実施例のモンキーレンチＭのレンチ本体１及びラック２の図１に示す上記第１実施例と同じ構成の箇所には、同一部位に同一符号を付して説明を省略する。
【００３５】
モンキーレンチＭのレンチ本体１の窓孔１１には、図２に示すように、ラック２と噛み合うウォーム３が回動自在に配置され、ウォーム３は支軸６を介してレンチ本体１の窓孔１１に取付けられている。
【００３６】
モンキーレンチＭの手動操作式ロック機構４Ａは、支軸６と、操作レバー７とから構成される。
【００３７】
手動操作式ロック機構４Ａの支軸６の基端部には、図２に示すように、ウォーム３をモンキーレンチＭのレンチ本体１の窓孔１１の他方の内側面に向って押し付けるように作用する大径のロック作用部６２が形成され、支軸６の先端寄りにはレンチ本体１のねじ孔１８に螺合するおねじ部６３が形成され、支軸６の先端部には操作レバー７を取付けるための小径のレバー取付け部６４が形成され、支軸６の基端の端面にはおねじ部６３をレンチ本体１のねじ孔１８にドライバーなどの手工具でねじ込む際に利用するための凹溝６５が形成されている。
【００３８】
モンキーレンチＭのレンチ本体１の挿通孔１７及びウォーム３には、図２に示すように、手動操作式ロック機構４Ａの支軸６が挿通され、レンチ本体１のねじ孔１８には支軸６のおねじ部６３が螺着され、レンチ本体１の挿通孔１７には支軸６のロック作用部６２が移動自在に嵌合され、支軸６はウォーム３を貫通して回動自在に支持している。
【００３９】
支軸６の先端には、図２に示すように、ウォーム３をロック状態とアンロック状態に切換え操作するための手動操作式ロック機構４Ａの操作レバー７が設けられ、操作レバー７は支軸６のレバー取付け部６４にカシメ止めにより固定されている。
【００４０】
次に、本発明の第２実施例に係るモンキーレンチの使用方法について説明する。
ボルト・ナットのモンキーレンチＭによる締め付け作業或いは緩め作業時において、まず、モンキーレンチＭのレンチ本体１の窓孔１１に配置したウォーム３を指で支軸６に対して回転させることにより、上記第１実施例と同様に、レンチ本体１の固定あご１０とラック２の可動あご２０との間隔を六角ボルトの頭部の互いに平行な二面間の距離である二面幅或いは六角ナットの互いに平行な二面間の距離である二面幅に合わせる。
【００４１】
その後、手動操作式ロック機構４Ａの操作レバー７を指先でつまんで支軸６のおねじ部６３を締め付ける方向に回転させることにより、支軸６のおねじ部６３が操作レバー７の回転に伴ってモンキーレンチＭのレンチ本体１のねじ孔１８にねじ込まれ、支軸６のロック作用部６２がウォーム３をレンチ本体１の窓孔１１の他方の内側面に向って押し付け、ウォーム３の一端がレンチ本体１の窓孔１１の他方の内側面に当接し、ウォーム３を支軸６に対して手動操作式ロック機構４Ａにより回転しないように固定したロック状態となる。
【００４２】
また、手動操作式ロック機構４Ａの操作レバー７を指先でつまんで支軸６のおねじ部６３を緩める方向に回転させることにより、支軸６のおねじ部６３が操作レバー７の回転に伴ってモンキーレンチＭのレンチ本体１のねじ孔１８に対して抜け外れる方向に移動し、支軸６のロック作用部６２がウォーム３のレンチ本体１の窓孔１１の他方の内側面への押し付けを解放し、ウォーム３の一端がレンチ本体１の窓孔１１の他方の内側面より離脱し、ウォーム３の手動操作式ロック機構４Ａによるロックを解除したアンロック状態となる。
【００４３】
以下、本発明の第３実施例に係るモンキーレンチについて、図面を参照しながら詳細に説明する。
本発明のモンキーレンチＭは、手動操作式ロック機構４Ｂが、ウォーム３を貫通して回動自在に支持する支軸６と、支軸６の基端部の外側にウォーム３に隣接して移動自在に嵌合されたウォーム３をロック状態とアンロック状態に切り換え操作する円筒形のロック用プッシュボタン８と、ロック用プッシュボタン８をウォーム３と離間する方向に常時付勢する付勢手段である圧縮コイルばねＳＰとから構成されている。
【００４４】
本発明のモンキーレンチＭは、レンチ本体１の窓孔１１の一方の内側面に開口してねじ穴１９を設け、レンチ本体１の窓孔１１の他方の側部にねじ穴１９と同一中心軸線上に沿ってロック用プッシュボタン８を移動自在に嵌合する筒状膨出部１１０を形成し、レンチ本体１の筒状膨出部１１０に窓孔１１の側部に臨んで透孔１１１と係止孔１１２を設け、支軸６の先端にレンチ本体１のねじ穴１９に螺合するおねじ部６６を形成し、ウォーム３のロック用プッシュボタン８側の一端に回り止め用のくさび形状の複数の第１のロック歯３０を形成し、ロック用プッシュボタン８の先端にウォーム３の第１のロック歯３０と噛み合う回り止め用のくさび形状の複数の第２のロック歯８０を形成し、ロック用プッシュボタン８の周壁の一部に設けた切欠孔８１に臨んで肉薄の弾性片８２を形成し、ロック用プッシュボタン８の弾性片８２にレンチ本体１の筒状膨出部１１０の透孔１１１に臨んでウォーム３のロック状態を解除する操作突部８３とレンチ本体１の筒状膨出部１１０の係止孔１１２に係脱自在の係合突起８４とを形成し、支軸６のおねじ部６６をレンチ本体１のねじ穴１９に螺着し、圧縮コイルばねＳＰをロック用プッシュボタン８の基端開口を閉塞する端壁と支軸６の基端との間に配置してある。
【００４５】
図３は、本発明の第３実施例に係るモンキーレンチの構成を示す要部切断斜視図である。
モンキーレンチＭのレンチ本体１の窓孔１１の一方の内側面には、図３に示すように、開口したねじ穴１９が設けられ、レンチ本体１の窓孔１１の他方の側部にはねじ穴１９と同一中心軸線上に沿って筒状膨出部１１０が一体に形成され、レンチ本体１の筒状膨出部１１０には窓孔１１の側部に開口する透孔１１１が設けられ、レンチ本体１の筒状膨出部１１０の透孔１１１の側部には開口する係止孔１１２が設けられている。
【００４６】
なお、この第３実施例のモンキーレンチＭのレンチ本体１及びラック２の図１に示す上記第１実施例と同じ構成の箇所には、同一部位に同一符号を付して説明を省略する。
【００４７】
モンキーレンチＭのレンチ本体１の窓孔１１には、図３に示すように、ラック２と噛み合うウォーム３が回動自在に配置され、ウォーム３のロック用プッシュボタン８側の一端には回り止め用のくさび形状の複数の第１のロック歯３０が形成され、ウォーム３は支軸６を介してレンチ本体１の窓孔１１に取付けられている。
【００４８】
モンキーレンチＭの手動操作式ロック機構４Ｂは、支軸６と、ロック用プッシュボタン８と、圧縮コイルばねＳＰとから構成される。
【００４９】
手動操作式ロック機構４Ｂの支軸６の先端には、図３に示すように、モンキーレンチＭのレンチ本体１のねじ穴１９に螺合するおねじ部６６が形成され、支軸６の基端の端面にはおねじ部６６をレンチ本体１のねじ穴１９にドライバーなどの手工具でねじ込む際に利用するための凹溝（図示せず）が形成されている。
【００５０】
ウォーム３には、図３に示すように、支軸６が挿通され、モンキーレンチＭのレンチ本体１のねじ穴１９には支軸６のおねじ部６６が螺着され、支軸６はウォーム３を貫通して回動自在に支持している。
【００５１】
手動操作式ロック機構４Ｂのロック用プッシュボタン８の先端には、図３に示すように、ウォーム３の第１のロック歯３０と噛み合う回り止め用のくさび形状の複数の第２のロック歯８０が形成され、ロック用プッシュボタン８の周壁の一部には切欠孔８１が設けられ、ロック用プッシュボタン８の切欠孔８１に相当する箇所には先端から基端に向って張り出した肉薄の弾性片８２が一体に形成され、ロック用プッシュボタン８の弾性片８２の中央付近の外側にはモンキーレンチＭのレンチ本体１の筒状膨出部１１０の透孔１１１に臨んでウォーム３のロック状態を解除するための操作突部８３が形成され、ロック用プッシュボタン８の弾性片８２の先端の外側にはレンチ本体１の筒状膨出部１１０の係止孔１１２に係脱自在の係合突起８４が形成され、ロック用プッシュボタン８は支軸６の基端部の外側に移動自在に嵌合されている。
【００５２】
ロック用プッシュボタン８の内部には、図３に示すように、ロック用プッシュボタン８の基端開口を閉塞する端壁と支軸６の基端との間に手動操作式ロック機構４Ｂの圧縮コイルばねＳＰが収納して配設され、ロック用プッシュボタン８は圧縮コイルばねＳＰの付勢力によってウォーム３と離間する方向に常時付勢されている。
【００５３】
次に、本発明の第３実施例に係るモンキーレンチの使用方法について説明する。
ボルト・ナットのモンキーレンチＭによる締め付け作業或いは緩め作業時において、まず、モンキーレンチＭのレンチ本体１の窓孔１１に配置したウォーム３を指で支軸６に対して回転させることにより、上記第１実施例と同様に、レンチ本体１の固定あご１０とラック２の可動あご２０との間隔を六角ボルトの頭部の互いに平行な二面間の距離である二面幅或いは六角ナットの互いに平行な二面間の距離である二面幅に合わせる。
【００５４】
その後、手動操作式ロック機構４Ｂのロック用プッシュボタン８を指先で圧縮コイルばねＳＰの付勢力に抗しながら押し込むことにより、ロック用プッシュボタン８が支軸６に案内されながらウォーム３に向って移動し、ロック用プッシュボタン８の弾性片８２が弾性変形し、ロック用プッシュボタン８の弾性片８２の係合突起８４がモンキーレンチＭのレンチ本体１の筒状膨出部１１０の係止孔１１２より抜け外れ、ロック用プッシュボタン８の第２のロック歯８０がウォーム３の第１のロック歯３０に喰い付き、ウォーム３の第１のロック歯３０とロック用プッシュボタン８の第２のロック歯８０とが互いに噛み合い、ウォーム３を支軸６に対して手動操作式ロック機構４Ｂにより回転しないように固定したロック状態となる。
【００５５】
そして、ロック用プッシュボタン８の弾性片８２の係合突起８４がモンキーレンチＭのレンチ本体１の筒状膨出部１１０の透孔１１１に達すると、ロック用プッシュボタン８の弾性片８２が元の形状に戻り、ロック用プッシュボタン８の弾性片８２の係合突起８４がレンチ本体１の筒状膨出部１１０の透孔１１１に入り込み、ロック用プッシュボタン８より指先を離しても、ロック用プッシュボタン８の弾性片８２の係合突起８４は圧縮コイルばねＳＰの付勢力によりレンチ本体１の筒状膨出部１１０の透孔１１１の係止孔１１２側の一側縁に圧接して係止され、ウォーム３の手動操作式ロック機構４Ｂによるロック状態を維持する。
【００５６】
また、手動操作式ロック機構４Ｂのロック用プッシュボタン８の弾性片８２の操作突部８３を係合突起８４がモンキーレンチＭのレンチ本体１の筒状膨出部１１０の透孔１１１より抜け外れる方向に向って指先で押し込むことにより、ロック用プッシュボタン８の弾性片８２が弾性変形し、ロック用プッシュボタン８の弾性片８２の係合突起８４がレンチ本体１の筒状膨出部１１０の透孔１１１より抜け外れると同時に、ロック用プッシュボタン８が支軸６に案内されながら圧縮コイルばねＳＰの付勢力によりウォーム３と離間する方向に移動し、ロック用プッシュボタン８の第２のロック歯８０がウォーム３の第１のロック歯３０より離脱し、ウォーム３の第１のロック歯３０とロック用プッシュボタン８の第２のロック歯８０との噛み合いが解放され、ウォーム３の手動操作式ロック機構４Ｂによるロックを解除したアンロック状態となる。
【００５７】
そして、手動操作式ロック機構４Ｂのロック用プッシュボタン８の弾性片８２の係合突起８４がモンキーレンチＭのレンチ本体１の筒状膨出部１１０の係止孔１１２に達すると、ロック用プッシュボタン８の弾性片８２が元の形状に戻り、ロック用プッシュボタン８の弾性片８２の係合突起８４がレンチ本体１の筒状膨出部１１０の係止孔１１２に入り込み、レンチ本体１の筒状膨出部１１０の係止孔１１２がロック用プッシュボタン８の弾性片８２の係合突起８４を係止し、ロック用プッシュボタン８の圧縮コイルばねＳＰの付勢力によるウォーム３と離間する方向への移動を停止し、ウォーム３の手動操作式ロック機構４Ｂによるロックを解除したアンロック状態を維持する。
【００５８】
なお、上記第１実施例のモンキーレンチでは、ウォームに当接するロックねじの先端に合成ゴムなどの弾性体を取付けても良い。
また、上記第３実施例のモンキーレンチでは、ウォームとロック用プッシュボタンに互いに噛み合うロック歯を形成したが、ウォーム及びロック用プッシュボタンに摩擦材をそれぞれ取付け、ウォームを摩擦材の摩擦力によりロックするようにしても良い。
【図面の簡単な説明】
【００５９】
【図１】本発明の第１実施例に係るモンキーレンチの構成を示す要部切断正面図。
【図２】本発明の第２実施例に係るモンキーレンチの構成を示す要部切断正面図。
【図３】本発明の第３実施例に係るモンキーレンチの構成を示す要部切断斜視図。
【符号の説明】
【００６０】
１  レンチ本体
２  ラック
３  ウォーム
４，４Ａ，４Ｂ  手動操作式ロック機構
５  ロックねじ
５ａ  操作つまみ
６  支軸
７  操作レバー
８  ロック用プッシュボタン
１０  固定あご
１１  窓孔
１２  ねじ孔
１３  ガイド溝
１４  握り柄
１５  ねじ穴
１６  挿通孔
１７  挿通孔
１８  ねじ孔
１９  ねじ穴
２０  可動あご
３０  第１のロック歯
６０  おねじ部
６１  凹溝
６２  ロック作用部
６３  おねじ部
６４  レバー取付け部
６５  凹溝
６６  おねじ部
８０  第２のロック歯
８１  切欠孔
８２  弾性片
８３  操作突部
８４  係合突起
１１０  筒状膨出部
１１１  透孔
１１２  係止孔
Ｍ  モンキーレンチ
ＳＰ  圧縮コイルばね（付勢手段）
【図１】
2005349501.tif 000003
【図２】
2005349501.tif 000004
【図３】
2005349501.tif 000005